(57)【要約】      （修正有）【課題】屋根の種類、屋根上の設備などに関係なく、安全帯や命綱を屋根上の所望する箇所へ簡単に取り付ける。【解決手段】雪止め金具は、頂部と連続する脚部１１Ａ、１１Ｂを有する支持部３と、この支持部３内に配置され角根丸頭ボルト６により支持部３に揺動可能に支持され底部５とを備えて構成される。頂部には、安全帯の自由端係止部が挿通されるための穴４Ｃが形成されたアイボルト４が設けられる。アイボルト４は、雪止め金具の取り付け時、なす面が屋根Ｒの棟方向およびそれに直交する方向に対して傾斜し、これら方向から見ると、穴４Ｃが見えるようになっている。雪止め金具は、瓦棒８に底部５を載置し、角根丸頭ボルト６に螺嵌されたナット３０を緊締して脚部１１Ａ、１１Ｂを瓦棒８に圧接させて取り付けられると、アイボルト４の穴４Ｃが傾斜方向および直交方向のいずれからでも視認できるようになっている。【選択図】図３
2020153105.tif 000002
【特許請求の範囲】
【請求項１】
屋根に載せられ、固定される底部と、
安全帯または命綱の端部に設けられたフックを掛けるための穴を有する連結部材を、支持する支持部とを備え、
前記連結部材が、前記穴の向きを調整可能に位置決めされることを特徴とする雪止め金具。
【請求項２】
前記支持部が、前記連結部材の端部を通す貫通穴を有し、
前記穴の向きが、前記貫通穴の下方で調整されることを特徴とする請求項１に記載の雪止め金具。
【請求項３】
前記連結部材が、その端部にねじ部を有し、ナットの締結によって固定されることを特徴とする請求項２に記載の雪止め金具。
【請求項４】
瓦棒葺き屋根の瓦棒に載置されることを特徴とする請求項１乃至３のいずれかに記載の雪止め金具。
【請求項５】
請求項１乃至４のいずれかに記載の雪止め金具の設置方法であって、
連結部材の穴が軒方向およびそれに垂直な方向以外の方向を向くように、雪止め金具を屋根に設置することを特徴とする雪止め金具設置方法。
【請求項６】
連結部材の穴が軒方向およびそれに垂直な方向に対しておよそ４５°傾く方向を向くように、雪止め金具を屋根に設置することを特徴とする請求項５に記載の雪止め金具設置方法。
【発明の詳細な説明】
【技術分野】
【０００１】
本発明は、屋根上などの作業時に安全帯や命綱が取り付けられる安全器具の保持器具に関する。
【背景技術】
【０００２】
民家、ビル、駅舎や公共施設等の屋根上では、保守管理、パイプや太陽電池パネルの設備設置など様々な作業が行われる。作業者は、転落防止のため、保持具を屋根上に設置した後、身につけた安全帯、命綱の自由端に設けられるフックやカナビラを保持具に取り付ける。
【０００３】
親綱張設器具などは、屋根両側や四隅などに親綱支柱を設置してから支柱間に親綱を張る作業を伴い、煩雑で時間がかかる。そのため、屋根上に容易に設置できる保持具が望まれる。例えば、スレート材を葺設した屋根に対し、スレート材が重なる部分に差し込む保持具が知られている（特許文献１参照）。また、太陽光発電モジュールが載せられる支持具に固定し、フックを掛けることができる安全帯取付具も知られている（特許文献２参照）。
【先行技術文献】
【特許文献】
【０００４】
【特許文献１】特開２０１７−１１０４３０号公報
【特許文献２】特許第４０５６５４８号
【発明の概要】
【発明が解決しようとする課題】
【０００５】
スレートタイプ以外の屋根の種類も数多く存在し、太陽光モジュールなどの設備が屋根上に設置されていない屋根も数多くある。また、屋根上の作業場所は特定箇所に決まっているわけでなく、作業状況に応じて変わる。そのため、安全器具の保持具の設置個所が、屋根の種類や設備などによって制限されてしまう。
【０００６】
したがって、屋根の種類、屋根上の設備などに関係なく、安全帯や命綱を屋根上の所望する箇所へ簡単に取り付け可能な安全器具の保持具が求められる。
【課題を解決するための手段】
【０００７】
本発明の雪止め金具は、安全器具の保持機能を兼ね備えた雪止め金具であり、屋根に載せられ、固定される底部を有する。安全帯または命綱の端部に設けられたフックを掛けるための穴を有する連結部材を、支持する支持部とを備える。そして、連結部材が、前記穴の向きを調整可能に位置決めされる。ここで、「雪止め金具」には、雪止めする部分（羽など）を備えた雪止め金具や、棟に沿って延びる細長板あるいは角材を保持するアングルを備えた雪止め金具も含まれる。また、「屋根」は、屋根を構成する要素であればよく、瓦、屋根板や、瓦棒など屋根表面上に設けられた部材が含まれる。雪止め金具は、屋根の種類に応じてその形状、構造が様々であり、例えば、瓦棒葺き屋根の瓦棒（心木あり、心木なし両方）に載置される雪止め金具に適用することが可能である。連結部材としては、フックを掛けやすいように、円状、楕円状の穴などを形成する環状部を設ける構成にすることができる。
【０００８】
本発明では、フックを穴に通して引っ掛ける連結部材を支持可能な支持部を備えている。雪止め金具を屋根に装着することによって、安全器具の保持具として機能させることができる。また、連結部材は、その穴の向きが調整できるように位置決めされる。したがって、作業者は所望するように連結部材の穴の向きを調整し、フックを掛けやすい位置で位置決めすることができる。例えば、穴の向きを３６０°変えることができるように連結部材を位置決めできる構成にすればよい。アングルタイプの雪止め金具などでは、雪止め用の板材を挟んで支持する構成であり、支持部上面は平坦であるのが望ましい。よって、支持部に、前記連結部材の端部を通す貫通穴を設け、穴の向きが、前記貫通穴の下方で調整できるように構成すればよい。例えば、連結部材をアイボルトなど端部にねじ部を設けた構成の場合、ナットを締結することで、穴の向きを調整しながら位置決め固定することができる。
【０００９】
屋根上の作業では、屋根上面を斜めに移動しながら作業するとバランスを崩しやく、棟に沿った方向かそれに垂直な方向、すなわち棟から軒先の方向に沿って移動することが多い。このため、穴の向き（穴を直交する軸）が棟方向に沿う場合、作業者が棟方向に垂直な方向から近づいてゆくと、穴が見えにくく安全帯のフックを掛けにくい。その逆の場合も同じである。そのため、作業者は、フックを掛ける前にバランスを崩す恐れがある。本発明の他の態様である雪止め金具設置方法は、上述した雪止め金具を用い、連結部材の穴が軒方向およびそれに垂直な方向以外の方向を向くように、雪止め金具を屋根に設置する。ここで、設置としては、あらかじめ連結部材を装着した雪止め金具を屋根に設置することや、連結部材を装着しない状態で屋根に配置された雪止め金具に対し、連結部材を装着することも含まれる。これによって、棟方向および棟に垂直な方向いずれかから作業者が近づいてもフックを容易に掛けることができる。例えば、連結部材の穴が軒方向およびそれに垂直な方向に対しおよそ４５°傾いた方向に向け、前記連結部材を位置決めするのが好ましい。
【発明の効果】
【００１０】
本発明によれば、安全器具の保持機能を備えた雪止め金具を提供することができる。
【図面の簡単な説明】
【００１１】
【図１】図１は、本発明の一実施形態に係る雪止め金具の組み立て図である。
【図２】図２は、図１の雪止め金具の斜視図である。
【図３】図３は、図１の雪止め金具の断面図である。
【図４】図４は、図１の雪止め金具を屋根の瓦棒に取り付ける状態を示す説明図である。
【図５】図５の（Ａ）〜（Ｅ）はそれぞれ、図１の雪止め金具支持部の正面図、右側面図、左側面図、平面図および底面図を示す。
【図６】図６の（Ａ）、（Ｂ）はそれぞれ、図１の雪止め金具支持部に取り付けられるアイボルトを示す正面図および側面図である。
【図７】図７の（Ａ）〜（Ｆ）はそれぞれ、図１の雪止め金具支持部に係止される当て部材の正面図、背面図、平面図、底面図、左側面図および右側面図である。
【発明を実施するための形態】
【００１２】
以下、図面に示す一実施形態により本発明を説明する。本発明の一実施形態に係る雪止め金具２は、図１および図２に示すように、上下に分かれた部品を組み合わせたアッセンブリーであり、断面概略コ字状の支持部３と、屋根上に載置される底部５を備える。この支持部３には、頂部１０に取り付けられたアイボルト（連結部材）４と、支持部３に角根丸頭ボルト（ねじ部材）６により支持部７Ａ、７Ｂを介して揺動可能に取り付けられる底部５とを備えて構成される。この雪止め金具２は、図３に示すように、金属板で葺かれた瓦棒葺き屋根の瓦棒８のトップカバー８Ａに載せられている。瓦棒８は、屋根Ｒの棟方向に垂直な方向（胸から軒先に向かう方向）に沿って所定間隔毎に形成され、金属板片を接続するようになっている。
【００１３】
支持部３は、頂部１０と、この頂部１０の左右両端から連続し、開放側が拡開して形成される脚部１１Ａ、１１Ｂとを有して構成される。これら頂部１０と脚部１１Ａ、１１Ｂとにはそれぞれ、外側に膨出する矩形の角錐台状膨出部１２、１３Ａ、１３Ｂが形成される。頂部１０の膨出部１２には、アイボルト４のねじ部４Ａが遊嵌される円状の貫通穴１４が、形成されている。また、脚部１１Ａ、１１Ｂの膨出部１３Ａ、１３Ｂのうち、一方には角孔（貫通孔）１５が、他方にはこの角孔１５に臨んで貫通穴１６が、それぞれ形成される。これら角孔１５と貫通穴１６には、角根丸頭ボルト６が貫通されるようになっている。頂部１０の左右方向両端角部、すなわち、各脚部１１Ａ、１１Ｂ上縁の前後方向両端角部は切り欠かれ、切り欠き間に形成された縁部は内側に折曲されて補強縁部１０ａ、１０ｂ、１１Ａａ、１１Ａｂ、１１Ｂａ、１１Ｂｂを形成している。各脚部１１Ａ、１１Ｂの補強縁部１１Ａａ、１１Ａｂ、１１Ｂａ、１１Ｂｂは、下側が切り欠かれ、雪止め金具２の緊締時、底部５と干渉しないようになっている。各脚部１１Ａ、１１Ｂの下端縁は、内側に折曲されて爪部１７Ａ、１７Ｂが形成され、緊締時、瓦棒８に咬止するようになっている。爪部１７Ａ、１７Ｂはそれぞれ互いに向き合う突出縁部が弧状に凹陥して形成される。脚部１１Ａ、１１Ｂの開放側は瓦棒８の幅より広く拡開されており、支持部３の脚部１１Ａ、１１Ｂを瓦棒８に跨がせると、爪部１７Ａ、１７Ｂの内側折曲端縁は、瓦棒８の側面に臨むようになっている。
【００１４】
底部５は、長手方向が支持部３の前後方向長さより長寸に形成されるとともに、幅方向が頂部１０の左右方向長さより短寸に形成された波状板２０と、この波状板２０両側から上方に立ち上がる両側部２１Ａ、２１Ｂとを有して構成される。波状板２０は、瓦棒８のトップカバー８Ａに接し、載置できるような幅を有する。各側部２１Ａ、２１Ｂの長手方向一端にはそれぞれ、側部２１Ａ、２１Ｂ上縁から湾曲して連続し外側端が折曲された突出部２２Ａ、２２Ｂが、各側部２１Ａ、２１Ｂの他端にはそれぞれ、立壁部２３Ａ、２３Ｂが形成される。一方の立壁部２３Ｂには、穿設孔２４とこの穿設孔２４近傍に突出したストッパ部２５とが形成される。この穿設孔２４には、Ｌ字金具２６が取り付けられるようになっている。Ｌ字金具２６は、棟方向に並ぶ他の雪止め金具のＬ字金具とともに、棟方向に沿って設置される雪止め用の長尺プレート（図示せず）を挟んで保持する。各側部２１Ａ、２１Ｂの中央にはそれぞれ、下方支持部７Ａ、７Ｂが形成される。これら下方支持部７Ａ、７Ｂと、突出部２２Ａ、２２Ｂおよび立壁部２３Ａ、２３Ｂとの間には、補強縁部１１Ａａ、１１Ａｂ、１１Ｂａ、１１Ｂｂとの干渉を避ける溝２７が凹陥して形成される。
【００１５】
この底部５は、支持部３の補強縁部１１Ａａおよび１１Ａｂと１１Ｂａおよび１１Ｂｂとの間に支持部７Ａ、７Ｂを配置し、角根丸頭ボルト６の一端ねじ部６Ｃを、一方の脚部１１Ａの角孔１５から差し入れ、支持部７Ａ、７Ｂの挿通孔２８、２８を介し穴１６から突出させると、支持部３に揺動可能に支持される。すなわち、爪部１７Ａ、１７Ｂより底部２０が上方に位置するようになっている。角根丸頭ボルト６は、丸頭部６Ａに連続して形成された角根部６Ｂが角孔１５に嵌め入れられると、回動が阻止される。他方の脚部１１Ｂから突出したねじ部６Ｃには、ワッシャ２９を介してナット（締結具）３０が螺嵌される。雪止め金具２は、屋根Ｒの瓦棒８に底部５を、突出部２２Ａ、２２Ｂを屋根Ｒの上縁側に向けて載置すると、支持部３の爪部１７Ａ、１７Ｂが瓦棒８の側面に臨むようになっている。そして、ナット３０を緊締すると脚部１１Ａ、１１Ｂは内側に向かって塑性変形し爪部１７Ａ、１７Ｂの内側端縁が瓦棒８の側面に咬止されるとともに、底部５の底部２０が瓦棒８の上面に圧接され、雪止め金具２は瓦棒８に確実に取り付けられるようになっている。
【００１６】
雪止め金具２では、上述したように長尺プレートを支持部３の平坦な矩形状の頂部１０に載せるように構成されているが、頂部１０の中心部に形成された貫通穴１４にアイボルト４の環状部４Ｂ下方であって端部に形成されたねじ部４Ａを貫通穴１４に通し、頂部１０とは反対の裏面側でナット３１、３２を螺嵌することで、アイボルト４を頂部１０に固着することができる。貫通穴１４は、アイボルト４を装着するための穴であり、雪止め金具２として機能するときには使用されず、雪止め金具２の構成上必要となるボルト穴などとは相違する。円形穴４Ｃが形成される環状部４Ｂは、フックＦ（図６参照）を掛けることができるように構成されている。アイボルト４は、ナット３１、３２で固定する構造のため、アイボルト４の位置、すなわち円形穴４Ｃの向く方向を３６０°自在に調整可能であり、所望する位置で位置決めし、雪止め金具２に固定することができる。図５の（Ａ）〜（Ｅ）はそれぞれ、支持部３を、図６の（Ａ）、（Ｂ）はそれぞれ、支持部３に取り付けられるアイボルト４を、図７の（Ａ）〜（Ｆ）はそれぞれ、支持部３に係止される当て部材を示している。
【００１７】
次に、本実施形態に係る雪止め金具２の使用方法について説明する。支持部３の頂部１０の上方からアイボルト４のねじ部４Ａを貫通穴１４に差し入れ、ナット３１、３２を下方からねじ部４Ａに螺嵌し、頂部１０に固着する。このとき、円環部４Ｂのなす面が頂部１０の対角線方向に沿うように環状部４Ｂが位置決めされる。すなわち、円形穴４Ｃの中心軸ＰＯ（図４参照）が向く方向が棟方向ＣＤおよび棟に直交する方向ＳＤに対して４５°傾くようにアイボルト４の位置が調整される。次に、ナット３１、３２の締と、支持部３の両脚部１１Ａ、１１Ｂ間に底部５を配し、角根丸頭ボルト６のねじ部６Ｃ先端を、一方の脚部１１Ａの角孔１５から差し入れて、底部５の支持部７Ａ、７Ｂの挿通孔２８、２８を介して、他方の脚部１１Ｂの穴１６から外側に突出させ、ねじ部６Ｃ先端にワッシャ２９とナット３０を螺嵌する。これによって、雪止め金具２は、底部５が支持部３に揺動可能に支持されて組み立てられる。組み立てられた雪止め金具２は、例えば図３および図４に示すように、屋根Ｒの下縁部ＲＤ近くで端にある瓦棒８に取り付けられる。保持具として機能させるために設置された取り付けは、瓦棒８の上面に底部５を、突出部２２Ａ、２２Ｂを屋根Ｒの上縁側に向けて載置し、ナット３０を緊締して行う。ナット３０が強く締められると、開放側に拡開した両脚部１１Ａ、１１Ｂは内側に塑性変形し、爪部１７Ａ、１７Ｂは瓦棒８の側面に食い込んで圧接され、瓦棒８に咬止されて確実に取り付けられる。また、底部５は各支持部７Ａ、７Ｂがそれぞれ、一方の脚部１１Ａの補強縁部１１Ａａ、１１Ａｂ間と他方の脚部１１Ｂの補強縁部１１Ｂａ、１１Ｂｂ間とに位置した状態で、両脚部１１Ａ、１１Ｂから内側に押圧されて揺動が規制され、波状板２０が瓦棒８に圧接されて支持部３と一体に組み付けられる。
【００１８】
棟方向ＣＤあるいはそれに直交する方向ＳＤから作業者が雪止め金具２に近づくとき、４５°の傾斜角度に設定しているため、一方の側から見て円形穴４Ｃが見えないという状態にならない。なお、傾斜角度については、４５°に厳密にする必要はなく、およそ４５°（二等分する方向）に調整すればよい。棟方向ＣＤおよびそれに直交する方向ＳＤから見て円柱穴４Ｃが見えればよく、棟方向ＣＤおよび棟に直交する方向ＳＤに沿った方向に円形穴４Ｃが向かないようにアイボルト４を位置決めすればよい。なお、雪止め金具２を屋根Ｒに設置するときにアイボルト４を外した状態で設置し、作業を行うとき、所定の雪止め金具に対してアイボルト４を装着するようにしてもよい。この場合、支持部３を取り出し、アイボルトを取り付ける。また、雪止め金具としては用いずに保持具として専用に使用するアイボルト付きの雪止め金具を、アイボルトを装着していない他の雪止め金具と合わせて屋根に設置してもよい。
【００１９】
このように安全器具の保持機能を備えた雪止め金具２を構成することで、瓦棒８に装着される雪止め金具２が降雪時に雪止め機能を果たす一方、アイボルト４を取り付ける構成によって、安全器具の保持具として機能する。雪止め金具２は、降雪時に雪による大きな圧力を受けても耐えることができるように強固に瓦棒８に固定されているため、人がバランスを崩したときにも荷重に十分耐えることができる。また、棟方向ＣＤおよびその直交方向ＳＤに対して円形穴４Ｃの向きが４５°傾斜しているため、作業員が棟方向ＣＤ、あるいはそれの直交方向ＳＤに沿って移動するとき、円環部４Ｂの空隙が視認しやすい。このため、フックの取り付け作業が容易であり、安全性が向上する。一方、支持部３の頂部１０に貫通穴１４を設ける以外は従来の雪止め金具２に沿った構造を採用することで、複雑な構造や過度な追加部品の取り付けをすることなく安全器具の保持機構を提供している。また、支持部３の頂部１０よりも下側で相ボルトの位置調整を行うように構成されているため、雪止め機能を損なわずに安全器具取付の機能を果たすことができる。
【００２０】
本実施形態では、連結部材を、円環部４Ｂを有するアイボルト４から構成しているがこれに限られるものではなく、内部に空隙が形成され環状部をもつ部材であれば、環状部が矩形状であっても長円状、あるいは部分的に開口部がある（穴が閉じていない）ものであってもよいことは言うまでもない。また、安全索保持部材の機能を果たすアイボルト４を雪止め金具２の頂部１０に直接取り付けているがこれに限られるものではなく、頂部１０との間に高さをかせぐ部材を介在させて連結部材を設けるようにしてもよい。さらに、雪止め金具２を、屋根Ｒに設けられ瓦棒８に連結された図示しない支持材に取り付けるようにしてもよい。また、アイボルト以外のフックを掛ける部分を備えた部材を雪止め金具にその穴の向きを調整して支持部に装着させるようにしてもよい。本実施形態では、瓦棒に装着するアングルタイプの雪止め金具として構成されているが、雪止めプレート部分を備えた羽タイプの雪止め金具、あるいは、他の屋根の種類に合わせて用意された雪止め金具に対しても適用することができる。この場合、例えば、屋根上方を向いていて平坦な部材に、貫通穴を設けることが可能である。
【符号の説明】
【００２１】
２  雪止め金具
３  支持部
４  アイボルト（連結部材）
４Ｃ  穴（円形穴）
５  底部
８  瓦棒
１６  貫通穴
Ｒ  屋根
ＳＤ  棟に垂直な方向
ＣＤ  棟方向
【図１】
2020153105.tif 000003
【図２】
2020153105.tif 000004
【図３】
2020153105.tif 000005
【図４】
2020153105.tif 000006
【図５】
2020153105.tif 000007
【図６】
2020153105.tif 000008
【図７】
2020153105.tif 000009